(57)【要約】【課題】本発明はＧＯＡ回路、ＴＦＴ表示パネル及び表示装置を開示する。【解決手段】該ＧＯＡ駆動回路の駆動ユニットは、受信した表示走査信号又はタッチセンシング走査信号等に基づいて第１制御信号を出力する入力モジュールと、第１制御信号と第１クロック信号に基づいて第１出力制御信号を出力する出力モジュールと、第１制御信号、第２クロック信号および低レベル信号に基づいてプルダウン信号を出力するプルダウンモジュールと、前記プルダウン信号、高レベル信号および第１クロック信号に基づいて前記第２出力制御信号を出力するプルダウン保持モジュールと、を含む。本発明は直流信号を介してＱｎノードに対する充放電を実施し、Ｑノードがより合理的な電位に達するように保証するだけでなく、段階的転送能力を向上させ、正逆方向走査又はタッチセンシング走査を実現することができる。
2019502148.tif 000002
【特許請求の範囲】
【請求項１】
多段駆動ユニットを含むＧＯＡ駆動回路であって、
前記各駆動ユニットは、
表示走査信号又はタッチセンシング走査信号、上位出力信号および下位出力信号を受信し、受信した信号に基づいて第１制御信号を出力する入力モジュールと、
前記第１制御信号と第１クロック信号を受信し、前記第１制御信号と前記第１クロック信号に基づいて第１出力制御信号を出力する出力モジュールと、
前記第１制御信号、前記第１クロック信号と逆方向である第２クロック信号、および低レベル信号を受信し、前記第１制御信号、第２クロック信号および低レベル信号に基づいてプルダウン信号を出力するプルダウンモジュールと、
前記プルダウン信号、高レベル信号および第１クロック信号を受信し、前記プルダウン信号、高レベル信号および第１クロック信号に基づいて前記第２出力制御信号を出力するプルダウン保持モジュールと、
を含み、
前記第１出力制御信号と前記第２出力制御信号の共同作用により出力信号を取得する、
ことを特徴とするＧＯＡ駆動回路。
【請求項２】
前記入力モジュールは、高レベル走査信号と低レベル走査信号である表示走査信号を受信する第１トランジスタと第２トランジスタを含み、
前記第１トランジスタの制御端は上位出力信号を受信し、前記第１トランジスタの入力端は高レベル走査信号又は低レベル走査信号を受信し、前記第１トランジスタの出力端は前記第１制御信号を出力し、
前記第２トランジスタの制御端は下位出力信号を受信し、前記第２トランジスタの入力端は低レベル走査信号又は高レベル走査信号を受信し、前記第１トランジスタの出力端は前記第１制御信号を出力する、
ことを特徴とする請求項１に記載のＧＯＡ駆動回路。
【請求項３】
前記入力モジュールは、タッチセンシング走査信号を受信する第１トランジスタを含み、
前記第１トランジスタの制御端は上位出力信号を受信し、前記第１トランジスタの入力端はタッチセンシング走査信号を受信し、前記第１トランジスタの出力端は前記第１制御信号を出力する、
ことを特徴とする請求項１に記載のＧＯＡ駆動回路。
【請求項４】
前記出力モジュールは、第３トランジスタと第１コンデンサを含み、
前記第１制御信号を受信するために、前記第３トランジスタの制御端は前記第２トランジスタの出力端に接続され、前記第３トランジスタの入力端は前記第１クロック信号を受信し、前記第３トランジスタの出力端は前記第１制御信号を出力し、
前記第２コンデンサの両端はそれぞれ前記第３トランジスタの制御端と入力端に接続される、
ことを特徴とする請求項２に記載のＧＯＡ駆動回路。
【請求項５】
前記出力モジュールは、第３トランジスタと第１コンデンサを含み、
前記第１制御信号を受信するために、前記第３トランジスタの制御端は前記第２トランジスタの出力端に接続され、前記第３トランジスタの入力端は前記第１クロック信号を受信し、前記第３トランジスタの出力端は前記第１制御信号を出力し、
前記第２コンデンサの両端はそれぞれ前記第３トランジスタの制御端と出力端に接続される、
ことを特徴とする請求項３に記載のＧＯＡ駆動回路。
【請求項６】
前記プルダウン信号は、第１プルダウン信号と第２プルダウン信号を含み、前記プルダウンモジュールは第４トランジスタと第５トランジスタを含み、
前記第１制御信号を受信するために、前記第４トランジスタの制御端は前記第２トランジスタの出力端に接続され、前記第４トランジスタの入力端は前記第２クロック信号を受信し、前記第４トランジスタの出力端は前記第１制御信号を出力し、
前記第５トランジスタの制御端は前記第２クロック信号を受信し、前記第５トランジスタの入力端は前記低レベル信号を受信し、前記第５トランジスタの出力端は前記第２プルダウン信号を出力する、
ことを特徴とする請求項４に記載のＧＯＡ駆動回路。
【請求項７】
前記プルダウン保持モジュールは、第６トランジスタ、第７トランジスタ、第８トランジスタおよび第２コンデンサを含み、
前記第６トランジスタの制御端は前記第１クロック信号を受信し、前記第６トランジスタの入力端は前記第７トランジスタの出力端に接続され、前記第６トランジスタの出力端は前記第３トランジスタの制御端に接続され、
前記プルダウン信号を受信するために、前記第７トランジスタの制御端はそれぞれ前記第４トランジスタと前記第５トランジスタの出力端に接続され、前記第７トランジスタの入力端は前記高レベル信号を受信し、第７トランジスタの出力端は前記第６トランジスタの入力端に接続され、
前記プルダウン信号を受信するために、前記第８トランジスタの制御端はそれぞれ前記第４トランジスタと前記第５トランジスタの出力端に接続され、前記第８トランジスタの入力端は前記高レベル信号を受信し、第８トランジスタの出力端は前記第２出力制御信号を出力し、
前記第２コンデンサの一端は前記第７トランジスタと第８トランジスタの制御端に接続され、他端は前記高レベル信号を受信する、
ことを特徴とする請求項６に記載のＧＯＡ駆動回路。
【請求項８】
前記第１トランジスタから前記第８トランジスタまではいずれもＰ型トランジスタであり、前記制御端はＰ型トランジスタのゲート電極であり、入力端はＰ型トランジスタのソース電極であり、出力端はＰ型トランジスタのドレイン電極である、
ことを特徴とする請求項７に記載のＧＯＡ駆動回路。
【請求項９】
さらに、
その制御端は前記低レベル信号を受信し、入力端は前記入力モジュールに接続され、出力端は前記出力モジュールに接続される第９トランジスタを含む、
ことを特徴とする請求項１に記載のＧＯＡ駆動回路。
【請求項１０】
多段駆動ユニットを含むＧＯＡ駆動回路を含むＴＦＴ基板であって、
前記各駆動ユニットは、
表示走査信号又はタッチセンシング走査信号、上位出力信号および下位出力信号を受信し、受信した信号に基づいて第１制御信号を出力する入力モジュールと、
前記第１制御信号と第１クロック信号を受信し、前記第１制御信号と前記第１クロック信号に基づいて第１出力制御信号を出力する出力モジュールと、
前記第１制御信号、前記第１クロック信号と逆方向である第２クロック信号および低レベル信号を受信し、前記第１制御信号、第２クロック信号および低レベル信号に基づいてプルダウン信号を出力するプルダウンモジュールと、
前記プルダウン信号、高レベル信号および第１クロック信号を受信し、前記プルダウン信号、高レベル信号および第１クロック信号に基づいて前記第２出力制御信号を出力するプルダウン保持モジュールと、
を含み、
前記第１出力制御信号と前記第２出力制御信号の共同作用により出力信号を取得する、
ことを特徴とする基板。
【請求項１１】
多段駆動ユニットを含むＧＯＡ駆動回路を含むＴＦＴ基板を備える表示装置であって、
前記各駆動ユニットは、
表示走査信号又はタッチセンシング走査信号、上位出力信号および下位出力信号を受信し、受信した信号に基づいて第１制御信号を出力する入力モジュールと、
前記第１制御信号と第１クロック信号を受信し、前記第１制御信号と前記第１クロック信号に基づいて第１出力制御信号を出力する出力モジュールと、
前記第１制御信号、前記第１クロック信号と逆方向である第２クロック信号および低レベル信号を受信し、前記第１制御信号、第２クロック信号および低レベル信号に基づいてプルダウン信号を出力するプルダウンモジュールと、
前記プルダウン信号、高レベル信号および第１クロック信号を受信し、前記プルダウン信号、高レベル信号および第１クロック信号に基づいて前記第２出力制御信号を出力するプルダウン保持モジュールと、
を含み、
前記第１出力制御信号と前記第２出力制御信号の共同作用により出力信号を取得する、
ことを特徴とする装置。
【発明の詳細な説明】
【技術分野】
【０００１】
本発明は表示技術分野に関し、特にＧＯＡ駆動回路、ＴＦＴ表示パネル及び表示装置に関する。
【背景技術】
【０００２】
現在、アクティブ液晶表示パネル水平走査線の駆動は、主にパネルに外付けられたＩＣにより完成し、外付けられたＩＣは各段水平走査線の段階的な充電と放電を制御することができる。ＧＯＡ（Ｇａｔｅ  Ｄｒｉｖｅｒ  ｏｎ  Ａｒｒａｙ）の場合、外付ＩＣを代替して水平走査線の駆動を完成するように、液晶表示パネルの従来の製造過程を運用し、水平走査線の駆動回路を表示エリアの周囲の基板に作製することができる。ＧＯＡ技術は、外付ＩＣのｂｏｎｄｉｎｇプロセスを減少させることができ、生産力を向上させるとともに生産コストを削減する機会があり、液晶表示パネルを狭額縁又はフレームなしの表示製品の製造するのにより適するようにすることができる。
【０００３】
ＧＯＡ回路の主要枠組みは、プルアップ回路（Ｐｕｌｌ−ｕｐ  ｐａｒｔ）、プルアップ制御回路（Ｐｕｌｌ−ｕｐ  ｃｏｎｔｒｏｌ  ｐａｒｔ）、ダウンロード回路（Ｔｒａｎｓｆｅｒ  Ｐａｒｔ、第１プルダウン回路（Ｋｅｙ  Ｐｕｌｌ−ｄｏｗｎ  Ｐａｒｔ）およびプルダウン保持回路（Ｐｕｌｌ−ｄｏｗｎ  Ｈｏｌｄｉｎｇ    Ｐａｒｔ））、及び電位を上昇させるＢｏａｓｔコンデンサを有する。
【０００４】
ＧＯＡ回路において、プルアップ回路モジュールにおける走査信号を出力するＴＦＴゲート電極の充電時間と充電方式はゲート電極の出力能力を決め、このＴＦＴゲート電極の電位が一定の高電位になれない場合、ＧＯＡ回路の安定性およびゲート電極の出力品質に影響する。
【０００５】
なお、ＧＯＡ回路は、ロードに差があるため、正方向と逆方向の走査画質に差があり、如何に画質の最適化を実現することはＧＯＡ回路の別の問題である。
【０００６】
従って、上記技術的問題に対し、ＧＯＡ駆動回路、ＴＦＴ表示パネル及び表示装置を提供する必要がある。
【発明の概要】
【発明が解決しようとする課題】
【０００７】
従来技術の不備を解消するために、本発明はＧＯＡ駆動回路、ＴＦＴ表示パネル及び表示装置を提供することを目的とする。
【０００８】
上記目的を実現するために、本発明の実施例は下記のような技術的解決手段を提供する。
【課題を解決するための手段】
【０００９】
多段駆動ユニットを含むＧＯＡ駆動回路であって、前記各駆動ユニットは、
表示走査信号又はタッチセンシング走査信号、上位出力信号および下位出力信号を受信し、受信した信号に基づいて第１制御信号を出力する入力モジュールと、
前記第１制御信号と第１クロック信号を受信し、前記第１制御信号と前記第１クロック信号に基づいて第１出力制御信号を出力する出力モジュールと、
前記第１制御信号、前記第１クロック信号と逆方向である第２クロック信号および低レベル信号を受信し、前記第１制御信号、第２クロック信号および低レベル信号に基づいてプルダウン信号を出力するプルダウンモジュールと、
前記プルダウン信号、高レベル信号および第１クロック信号を受信し、前記プルダウン信号、高レベル信号および第１クロック信号に基づいて前記第２出力制御信号を出力するプルダウン保持モジュールと、
を含み、
前記第１出力制御信号と前記第２出力制御信号の共同作用により出力信号を取得する。
【００１０】
本発明の更なる改善として、前記入力モジュールは、高レベル走査信号と低レベル走査信号である表示走査信号を受信する第１トランジスタと第２トランジスタを含み、
前記第１トランジスタの制御端は上位出力信号を受信し、前記第１トランジスタの入力端は高レベル走査信号又は低レベル走査信号を受信し、前記第１トランジスタの出力端は前記第１制御信号を出力し、
前記第２トランジスタの制御端は下位出力信号を受信し、前記第２トランジスタの入力端は低レベル走査信号又は高レベル走査信号を受信し、前記第１トランジスタの出力端は前記第１制御信号を出力する。
【００１１】
本発明の更なる改善として、前記入力モジュールは、タッチセンシング走査信号を受信する第１トランジスタを含み、
前記第１トランジスタの制御端は上位出力信号を受信し、前記第１トランジスタの入力端はタッチセンシング走査信号を受信し、前記第１トランジスタの出力端は前記第１制御信号を出力する。
【００１２】
本発明の更なる改善として、前記出力モジュールは、第３トランジスタと第１コンデンサを含み、
前記第１制御信号を受信するために、前記第３トランジスタの制御端は前記第２トランジスタの出力端に接続され、前記第３トランジスタの入力端は前記第１クロック信号を受信し、前記第３トランジスタの出力端は前記第１制御信号を出力し、
前記第２コンデンサの両端はそれぞれ前記第３トランジスタの制御端と入力端に接続される。
【００１３】
本発明の更なる改善として、前記プルダウン信号は第１プルダウン信号と第２プルダウン信号を含み、前記プルダウンモジュールは第４トランジスタと第５トランジスタを含み、
前記第１制御信号を受信するために、前記第４トランジスタの制御端は前記第２トランジスタの出力端に接続され、前記第４トランジスタの入力端は前記第２クロック信号を受信し、前記第４トランジスタの出力端は前記第１制御信号を出力し、
前記第５トランジスタの制御端は前記第２クロック信号を受信し、前記第５トランジスタの入力端は前記低レベル信号を受信し、前記第５トランジスタの出力端は前記第２プルダウン信号を出力する。
【００１４】
本発明の更なる改善として、前記プルダウン保持モジュールは、第６トランジスタ、第７トランジスタ、第８トランジスタおよび第２コンデンサを含み、
前記第６トランジスタの制御端は前記第１クロック信号を受信し、前記第６トランジスタの入力端は前記第７トランジスタの出力端に接続され、前記第６トランジスタの出力端は前記第３トランジスタの制御端に接続され、
前記プルダウン信号を受信するために、前記第７トランジスタの制御端はそれぞれ前記第４トランジスタと前記第５トランジスタの出力端に接続され、前記第７トランジスタの入力端は前記高レベル信号を受信し、第７トランジスタの出力端は前記第６トランジスタの入力端に接続され、
前記プルダウン信号を受信するために、前記第８トランジスタの制御端はそれぞれ前記第４トランジスタと前記第５トランジスタの出力端に接続され、前記第８トランジスタの入力端は前記高レベル信号を受信し、第８トランジスタの出力端は前記第２出力制御信号を出力し、
前記第２コンデンサの一端は前記第７トランジスタと第８トランジスタの制御端に接続され、他端は前記高レベル信号を受信する。
【００１５】
本発明の更なる改善として、前記第１トランジスタから前記第８トランジスタまでは、いずれもＰ型トランジスタであり、前記制御端はＰ型トランジスタのゲート電極であり、入力端はＰ型トランジスタのソース電極であり、出力端はＰ型トランジスタのドレイン電極である。
【００１６】
本発明の更なる改善として、前記ＧＯＡ駆動回路は、さらに、その制御端は前記低レベル信号を受信し、入力端は前記入力モジュールに接続され、出力端は前記出力モジュールに接続される第９トランジスタを含む。
【００１７】
上記に応じて、ＴＦＴ基板であって、上記ＧＯＡ駆動回路を含む。
【００１８】
上記に応じて、表示装置であって、上記ＴＦＴ基板を含む。
【発明の効果】
【００１９】
本発明は直流信号を介してＱｎノードに対する充放電を実施し、Ｑノードがより合理的な電位に達することを保証するだけでなく、段階的転送能力を向上させ、正逆方向走査又はタッチセンシング走査を実現することができると同時に、第１制御信号の電位が外部の影響を受けることを減少することができ、最大９つのトランジスタと２つのコンデンサだけで形成することができ、最大限にＩＣコストを節約することができる。
【図面の簡単な説明】
【００２０】
【図１】本発明の第１実施例におけるＧＯＡ駆動回路における第ｎ段のＧＯＡ駆動ユニットの回路を示す図である。
【図２】本発明の第１実施例におけるＧＯＡ駆動ユニットの駆動シーケンス図である。
【図３】本発明の第２実施例におけるＧＯＡ駆動回路における第ｎ段のＧＯＡ駆動ユニットの回路を示す図である。
【図４】本発明の第３実施例におけるＧＯＡ駆動ユニットの駆動シーケンス図である。
【図５】本発明の第４実施例における表示装置の構造を示す図である。
【発明を実施するための形態】
【００２１】
当業者に本発明における技術的解決手段をよりよく理解させるために、以下に、本発明の実施例における図面に合わせ、本発明の実施例における技術的解決手段を明瞭且つ完全に説明する。当然に、説明される実施例は本発明の一部の実施例に過ぎず、全ての実施例ではない。本発明における実施例に基づき、当業者が創造的な労働を付しない前提で取得したすべてのその他の実施例は、いずれも本発明の保護範囲に属すべきである。
【００２２】
本発明におけるＧＯＡ駆動回路は多段駆動ユニットを含み、各段駆動ユニットは、いずれも表示走査信号又はタッチセンシング信号、低レベル信号ＶＧＬ、高レベル信号ＶＧＨ、上位出力信号Ｇｎ−１、下位出力信号Ｇｎ＋１、第１クロック信号ＣＫ及び第２クロック信号ＸＣＫを受信する。ここで、第１段駆動ユニットにより受信された上位出力信号は所定の初期信号である。
【００２３】
各段のＧＯＡ駆動ユニットの構造はいずれも同じであり、そのため、以下に、そのうちの第ｎ段のＧＯＡ駆動ユニットを例として紹介する。
【００２４】
図１は、本発明の第１実施例のＧＯＡ駆動回路における第ｎ段のＧＯＡ駆動ユニット１０の回路を示す図であり、該ＧＯＡ駆動ユニットは、入力モジュール１１、出力モジュール１２、プルダウンモジュール１３及びプルダウン保持モジュール１４を含む。
【００２５】
ここで、入力モジュール１１は、表示走査信号ＶｆとＶｒ、上位出力信号Ｇｎ−１および下位出力信号Ｇｎ＋１を受信し、受信した信号に基づいて第１制御信号Ｋ１を出力する。第１制御信号Ｋ１は駆動信号の出力を制御するノードである第１ノードＱｎに出力される。
【００２６】
出力モジュール１２は、前記第１制御信号Ｋ１と第１クロック信号ＣＫを受信し、前記第１制御信号Ｋ１と前記第１クロック信号ＣＫに基づいて第１出力制御信号Ｏ１を出力する。
【００２７】
プルダウンモジュール１３は、前記第１制御信号Ｋ１、第１クロック信号ＣＫと逆方向である第２クロック信号ＸＣＫおよび低レベル信号ＶＧＬを受信し、前記第１制御信号Ｋ１、第２クロック信号ＸＣＫおよび低レベル信号ＶＧＬに基づいてプルダウン信号Ｌ１を出力し、ここで、プルダウン信号Ｌ１は、回路の非動作期間中に回路が安定した出力を保持するように制御するノードである第２ノードＰｎに出力される。
【００２８】
プルダウン保持モジュール１４は、プルダウン信号Ｌ１、高レベル信号ＶＧＨおよび第１クロック信号ＣＫを受信し、プルダウン信号Ｌ１、高レベル信号ＶＧＨおよび第１クロック信号ＣＫに基づいて第２出力制御信号Ｏ２を出力し、ここで、第１出力制御信号Ｏ１と前記第２出力制御信号Ｏ２の共同作用により出力信号Ｇｎを取得する。
【００２９】
好ましくは、入力モジュール１１は第１トランジスタＴ１と第２トランジスタＴ２を含む。ここで、第１トランジスタＴ１の制御端は上位出力信号Ｇｎ−１を受信し、第１トランジスタＴ１の入力端は第１走査信号Ｖｆを受信し、第２トランジスタＴ２の制御端は下位出力信号Ｇｎ＋１を受信し、第２トランジスタＴ２の入力端は第２走査信号Ｖｒを受信し、第１トランジスタＴ１と第２トランジスタＴ２の出力端は共に第１制御信号Ｋ１を出力する。具体的には、第１ノードＱｎに第１制御信号Ｋ１を出力するために、第１トランジスタＴ１と第２トランジスタＴ２の出力端は第１ノードＱｎに接続される。
【００３０】
出力モジュール１２は第３トランジスタＴ３と第１コンデンサＣ１を含む。ここで、第１制御信号Ｋ１を受信するために、第３トランジスタＴ３の制御端は第１トランジスタＴ１と第２トランジスタＴ２の出力端に接続され、具体的には、第１ノードＱｎを介して第１トランジスタＴ１と第２トランジスタＴ２により出力された第１制御信号Ｋ１を受信するように、第３トランジスタＴ３の制御端は第１ノードＱｎに接続される。第３トランジスタＴ３の入力端は第１クロック信号ＣＫを受信し、第３トランジスタＴ３の出力端は第１制御信号Ｏ１を出力する。第１コンデンサＣ１は電位を上昇させるＢｏａｓｔコンデンサであり、その両端はそれぞれ第３トランジスタＴ３の制御端と出力端に接続される。即ち、第１コンデンサＣ１の一端と第３トランジスタＴ３の制御端はいずれも第１ノードＱｎに接続される。
【００３１】
本実施例において、プルダウン信号Ｌ１は第１プルダウン信号Ｌ１１と第２プルダウン信号Ｌ１２を含み、プルダウンモジュール１３は第４トランジスタＴ４と第５トランジスタＴ５を含む。ここで、第１制御信号Ｋ１を受信するために、第４トランジスタＴ４の制御端は第１トランジスタＴ１と第２トランジスタＴ２の出力端に接続され、具体的には、第４トランジスタＴ４の制御端と第１トランジスタＴ１、第２トランジスタＴ２の出力端はいずれも第１ノードＱｎに接続され、第４トランジスタＴ４の入力端は第２クロック信号ＸＣＫを受信し、第４トランジスタＴ４の出力端は第１プルダウン信号Ｌ１１を出力し、具体的には、第２ノードＰｎに第１プルダウン信号Ｌ１１を出力するために、第４トランジスタＴ４の出力端は第２ノードＰｎに接続される。第５トランジスタＴ５の制御端は第２クロック信号ＸＣＫを受信し、第５トランジスタＴ５の入力端は低レベル信号ＶＧＬを受信し、第５トランジスタＴ５の出力端は第２プルダウン信号Ｌ１２を出力し、具体的には、第２ノードＰｎに第２プルダウン信号Ｌ１２を出力するために、第５トランジスタＴ５の出力端は第２ノードＰｎに接続される。
【００３２】
プルダウン保持モジュール１４は、第６トランジスタＴ６、第７トランジスタＴ７、第８トランジスタＴ８および第２コンデンサＣ２を含む。ここで、第６トランジスタＴ６の制御端は第１クロック信号ＣＫを受信し、第６トランジスタＴ６の入力端は第７トランジスタＴ７の出力端に接続され、第１ノードＱｎを介して第３トランジスタＴ３の制御端に接続するように、第６トランジスタＴ６の出力端は第１ノードＱｎに接続される。プルダウン信号Ｌ１を受信するために、第７トランジスタＴ７の制御端は第２ノードＰｎを介してそれぞれ第４トランジスタＴ４と第５トランジスタＴ５の出力端に接続され、第７トランジスタＴ７の入力端は高レベル信号ＶＧＨを受信し、第７トランジスタＴ７の出力端は第６トランジスタＴ６の入力端に接続される。プルダウン信号Ｌ１を受信するために、第８トランジスタＴ８の制御端は第２ノードＰｎを介してそれぞれ第４トランジスタＴ４と第５トランジスタＴ５の出力端に接続され、第８トランジスタＴ８の入力端は高レベル信号ＶＧＨを受信し、第８トランジスタＴ８の出力端は第２出力制御信号Ｏ２を出力する。第２コンデンサＣ２の一端は前記第７トランジスタＴ７と第８トランジスタＴ８の制御端に接続され、他端は高レベル信号ＶＧＨを受信する。
【００３３】
本実施例において、第１トランジスタＴ１から第８トランジスタＴ８まではいずれもＰ型トランジスタであり、その制御端はＰ型トランジスタのゲート電極であり、入力端はＰ型トランジスタのソース電極であり、出力端はＰ型トランジスタのドレイン電極である。
【００３４】
図２は、本実施例における正逆方向走査を行う時のＧＯＡ駆動回路のシーケンス図であり、正方向走査を行う時、第１走査信号Ｖｆと第２走査信号Ｖｒはそれぞれ低レベル走査信号と高レベル走査信号であり、逆方向走査を行う時、第１走査信号Ｖｆと第２走査信号Ｖｒはそれぞれ高レベル走査信号と低レベル走査信号であり、正方向走査を例とする場合、具体的には以下の４つのステップを含む。
【００３５】
第１ステップであって、第１トランジスタＴ１を開し、第１走査信号Ｖｆにより第１ノードＱｎを低電位までにプルダウンし、第２トランジスタＴ２と第３トランジスタＴ３を開し、Ｐｎノードは低電位であり、この時、第１クロック信号ＣＫは高電位であり、第４トランジスタＴ４を閉し、第５トランジスタＴ５、第６トランジスタＴ６と第７トランジスタＴ７を開する。
【００３６】
第２ステップであって、第１クロック信号ＣＫは低電位であり、Ｇｎは低電位を出力し、一方はＴＦＴ（Ｔｈｉｎ  Ｆｉｌｍ  Ｔｒａｎｓｉｓｔｏｒ、薄膜トランジスタである）基板の表示エリア（ＡＡエリア）の画素ユニットを駆動することができ、他方は段階転送信号として下位駆動ユニットに転送することができる。
【００３７】
さらに、第３トランジスタＴ３を開し、第２ノードＰｎは第２クロック信号ＸＣＫを介して高電位に変わり、第５トランジスタＴ５と第７トランジスタＴ７を閉し、第１ノードＱｎはコンデンサを介してより高い電位に連結され、Ｇｎの通常の出力を保証する。
【００３８】
ステップ３であって、下位出力信号Ｇｎ＋１は低電位であり、第９トランジスタＴ９を開し、第１ノードＱｎを高電位までにプルアップし、第２クロック信号ＸＣＫは低電位であり、第２ノードＰｎは低電位にプルダウンされ、第５トランジスタＴ５と第６トランジスタＴ６を開する。
【００３９】
ステップ４であって、第１クロック信号ＣＫは低電位であり、第４トランジスタＴ４を開し、第１ノードＱｎは再度高電位にプルアップされ、１フレームの後の過程に、第１ノードＱｎと第２ノードＰｎは常に高電位と低電位に保持される。
【００４０】
逆方向走査の作動過程は上記の通りであるが、空間上のＧｎ＋１段は時系列のＧｎ−１に変わり、第１走査信号Ｖｆと第２走査信号Ｖｒは、この時、高レベル走査信号と低レベル走査信号に変わり、逆方向走査の４つのステップに対し、繰り返した説明を省略する。
【００４１】
本実施例では、直流の制御できる電源とスイッチ部品を導入し、直流信号を介してＱｎノードに対し充放電を実施し、Ｑノードがより合理的な電位に達することを保証するだけでなく、段階的転送能力を向上させ、正逆方向の走査を実現することができる。
【００４２】
図３は、本発明の第２実施例により提供される別のＧＯＡ駆動回路の構造を示す図である。本実施例のＧＯＡ回路と第１実施例におけるＧＯＡ駆動回路との相違点は、本実施例のＧＯＡ駆動回路が、更に、その制御端は低レベル信号ＶＧＬを受信し、入力端は第２トランジスタＴ２の出力端に接続され、出力端は第３トランジスタＴ３の制御端に接続される第９トランジスタＴ９を含むことである。第９トランジスタＴ９の役割は、第１ノードＱｎの第１制御信号Ｋ１がより低い電位に連結される時、第９トランジスタＴ９を閉し、第１ノードＱｎの第１制御信号Ｋ１の電位が外部の影響を受けることを減少させることである。
【００４３】
本発明の第３実施例において、ＧＯＡ駆動回路と図１における駆動回路は同じであり、第ｎ段のＧＯＡ駆動ユニット１０は、同様に、入力モジュール、出力モジュール、プルダウンモジュール及びプルダウン保持モジュールを含む。第１実施例との相違点は、本実施例における第１トランジスタＴ１はタッチセンシング走査信号Ｖｆを受信することであり、図４に示されたものは本実施例におけるＧＯＡ駆動回路のシーケンス図であり、表示駆動時間とＴＰ作用時間を含み、ここで、表示駆動時間は第１実施例と同じ４つのステップを含み、ここでその説明を省略する。
【００４４】
さらに、本実施例におけるＧＯＡ回路は、同様に、その制御端は低レベル信号ＶＧＬを受信し、入力端は第２トランジスタＴ２の出力端に接続され、出力端は第３トランジスタＴ３の制御端に接続される第９トランジスタＴ９を含むことができる。同様に、実施例２における第１ノードＱｎの第１制御信号Ｋ１の電位が外部の影響を受けることを減少させる効果に達することができる。
【００４５】
図５は、本発明の第４実施例における表示装置を示す図である。本実施例において、表示装置１００は、ＴＦＴ基板１０１およびＴＦＴ基板１０１の一側に位置するＧＯＡ駆動回路１０２を含み、該ＧＯＡ駆動回路１０２は前述の複数のＧＯＡ駆動ユニット１０により構成される。
【００４６】
上記技術的解決手段から分かるように、本発明は直流信号を介してＱｎノードに対する充放電を実施し、Ｑノードがより合理的な電位に達することを保証するだけでなく、段階的転送能力を向上させ、正逆方向走査又はタッチセンシング走査を実現することができる。同時に、第１制御信号の電位が外部の影響を受けることを減少させることができ、最大９つのトランジスタと２つのコンデンサだけで形成することができ、最大限にＩＣコストを節約することができる。
【００４７】
当業者にとって、明らかに、本発明は上記例示的な実施例の細部に限定されず、本発明の精神又は基本特徴を逸脱しない限り、その他の具体的な形態により本発明を実現することができる。従って、どの角度から見ても、実施例を例示的なものであり、非限定的なものであると見なすべきであり、本発明の範囲は上記説明ではなく、添付の特許請求の範囲により限定されるため、特許請求の範囲の等価要件の定義と範囲に属する全ての変化は本発明内に含まれる。請求項におけるいずれかの図面の記号を関連する請求項を限定するものと見なしてはならない。
【００４８】
また、本明細書は実施形態により説明したが、各実施形態は１つの独立した技術的解決手段だけを含むものではなく、明細書のこのような説明方式は明瞭にするためのものであることを理解すべきであり、当業者であれば、明細書を１つの全体とし、各実施例における技術的解決手段も適当に組み合わせ、当業者の理解できるその他の実施形態に形成するべきである。
【図１】
2019502148.tif 000003
【図２】
2019502148.tif 000004
【図３】
2019502148.tif 000005
【図４】
2019502148.tif 000006
【図５】
2019502148.tif 000007
【国際調査報告】
2019502148.tif 000008
2019502148.tif 000009
2019502148.tif 000010
2019502148.tif 000011